【手続補正書】
【提出日】令和3年8月26日(2021.8.26)
【手続補正１】
【補正対象書類名】特許請求の範囲
【補正対象項目名】全文
【補正方法】変更
【補正の内容】
【特許請求の範囲】
【請求項１】
スキーブーツであって、外靴と内靴とを備え、前記外靴は、一体の靴底と、アッパー右側部分及びアッパー左側部分を有するアッパーと、を備え、前記アッパー右側部分とアッパー左側部分とは、前記靴底に対して開放状態と閉合状態との間で回動するように前記靴底にヒンジ結合され、前記外靴は、ロッキング部材及びロッキングワイヤをさらに備え、前記ロッキングワイヤは、前記アッパーの複数の位置で前記アッパーを取り巻き、前記ロッキング部材に巻込まれることで前記アッパー右側部分及び前記アッパー左側部分を前記閉合状態に保ち、前記ロッキング部材から繰り出されることで、前記アッパー右側部分と前記アッパー左側部分との前記開放状態への回動を許容するように構成される、スキーブーツ。
【請求項２】
前記アッパーはトゥキャップ部分及びヒール部分をさらに備え、前記閉合状態では、前記アッパー右側部分及び前記アッパー左側部分の少なくとも一部は、前記ヒール部分と部分的に重なり、前記ヒール部分には、複数の位置決め溝又は位置決めリッブが設けられ、前記アッパー右側部分と前記アッパー左側部分とは、対応する位置に突起又は凹溝が設けられ、前記アッパー右側部分と前記アッパー左側部分とが前記閉合状態にある場合、前記位置決め溝又は位置決めリッブはそれぞれ前記突起又は凹溝に接合される、請求項１に記載のスキーブーツ。
【請求項３】
前記閉合状態では、前記アッパー右側部分及び前記アッパー左側部分は、前記ヒール部分と部分的に重なり、前記トゥキャップ部分は、それぞれ前記アッパー右側部分及び前記アッパー左側部分と重なる部分に、複数の位置決め凹溜または突起が設けられ、前記アッパー右側部分と前記アッパー左側部分とは、対応する位置に複数の突起又は凹溜が設けられ、前記アッパー右側部分と前記アッパー左側部分とが閉合状態にある場合、前記位置決め突起はそれぞれ前記位置決め凹溜に接合される、請求項２に記載のスキーブーツ。
【請求項４】
舌革部分と前記トゥキャップ部分とのヒンジ結合箇所には、前記舌革部分を外方へ偏倚させるように偏倚装置が設けられる、請求項３に記載のスキーブーツ。
【請求項５】
前記アッパー右側部分と前記アッパー左側部分とはそれぞれ前記靴底とヒンジ結合する箇所に偏倚装置がさらに設けられ、前記偏倚装置はそれぞれ前記アッパー右側部分及び前記アッパー左側部分を開放させる方向へ偏倚させる、請求項１に記載のスキーブーツ。
【請求項６】
前記アッパー右側部分及び前記アッパー左側部分の下側には凸台が設けられ、前記内靴が前記外靴に挿入され、かつ、前記外靴が閉合された場合、前記凸台は前記内靴の靴底を押さえる、請求項１に記載のスキーブーツ。
【請求項７】
前記内靴の靴底の両側にはそれぞれ凹溝が形成される一方、前記アッパー左側部分及びアッパー右側部分の内側の下部の対応する箇所には突条が形成され、前記外靴のアッパーが閉合位置にある場合、前記突条は前記凹溝に圧入される、請求項１に記載のスキーブーツ。
【請求項８】
前記ロッキング部材は、
前記アッパー右側部分又はアッパー左側部分に固定されるベースと、
前記ベースに固定される主軸と、
順に前記主軸に回転可能に設けられるリール、リールカバー及びアンロックハンドルと、
前記リール、リールカバー及びアンロックハンドルが前記主軸から脱出することを防止するために主軸に接続されるロッキングキャップと、
前記リールカバーに接続されるハンドルと、を備え、
前記アンロックハンドルの回動により、前記リールカバーはロック位置とアンロック位置との間での運動が許容され、前記ロック位置では、前記リールカバーと前記リールとは接合され、前記リールと前記リールカバーとは共に回転できることが許容され、かつ、前記リールカバーは前記ベースに対して一方向のみに回動することが許容され、前記アンロック位置では、前記リールカバーと前記リールとは離間し、前記リールが前記主軸を回りに自在に回転することが許容される、請求項１〜７のいずれか一項に記載のスキーブーツ。
【請求項９】
前記リールカバーは、前記ロック位置と前記アンロック位置との間の運動は、前記リールカバーが前記主軸に沿う軸方向移動である、請求項８に記載のスキーブーツ。
【請求項１０】
前記ベースは円筒状であり、その一端の開口の内周面にはラチェットが設けられ、前記リールカバーには、前記ベースの開口内に延出される突出部が設けられ、前記突出部の外周面には一方向ラチェットが設けられ、かつ、前記一方向ラチェットは外方へ偏倚されて前記ベースのラチェットと噛み合い、前記ベースのラチェットの方向は、前記リールカバーが第１方向において前記ベースに対して回転可能、且つ、第１方向と反する第２方向において前記ベースに対する回転が阻まれるように構成される、請求項９に記載のスキーブーツ。
【請求項１１】
前記突出部の一側の表面には歯が設けられ、前記リールの前記リールカバーと反対する表面にも歯が設けられ、前記ロック位置では、前記歯が互いに噛み合い、前記アンロック位置では、前記リールカバーは軸方向に沿って前記リールから離れることで、前記歯が互いに離間する、請求項１０に記載のスキーブーツ。
【請求項１２】
前記リールカバーと前記ロッキングキャップとの間にはロッキングサークリップが設けられ、前記ロッキングキャップは前記ロック位置に対応する大径部と前記アンロック位置に対応する小径部とを備え、前記ロッキングサークリップは長楕円形状のリングであり、初期状態では前記大径部の直径よりも小さい直径を持つ短軸直径を有する、請求項１１に記載のスキーブーツ。
【請求項１３】
前記アンロックハンドルは、前記ロッキングサークリップ内に挿入されるアンロック突出ブロックを備え、前記アンロックハンドルが回動するときに、前記アンロック突出ブロックは前記ロッキングサークリップを前記大径部の直径よりも大きくするように広げ、前記リールカバーが前記小径部から前記大径部へ移動することが許容されるようになる、請求項１２に記載のスキーブーツ。
【請求項１４】
前記スキーブーツはコントローラー及びセンサをさらに備え、前記センサは、前記スキーブーツを装着するスキーヤーの生命徴候を示す信号を検知するように構成され、前記コントローラーは、前記センサにより検知された信号を受信し、この信号に基づいて前記装着者の生命状態を確定するように構成される、請求項１〜１３のいずれか一項に記載のスキーブーツにおいて、スキーブーツ。
【請求項１５】
前記コントローラーは、さらに前記センサにより検知された信号に基づいて、前記スキーヤーの生命状態を複数の種類のうちの１つに確定するように構成される、請求項１４に記載のスキーブーツ。
【請求項１６】
前記生命徴候は、スキーヤーの心拍、血圧、体温のうちの１つ又は複数を含む、請求項１５に記載のスキーブーツ。
【請求項１７】
前記コントローラーは、前記スキーヤーの生命状態は危急であると確定する場合、指定地点へ救難信号を送信するように構成される、請求項１５または１６に記載のスキーブーツにおいて、スキーブーツ。
【請求項１８】
前記指定地点は、複数の指定地点を含む、請求項１７に記載のスキーブーツ。
【請求項１９】
前記救難信号は、前記スキーヤーの生命徴候を示す信号を含む、請求項１７または１８に記載のスキーブーツ。
【請求項２０】
前記コントローラーはさらに、前記スキーヤーの生命状態は自己回復可能な状態であると確定する場合、指定地点へ救難信号を送信せず、且つ／又は、救護装置を起動させる、請求項１５に記載のスキーブーツ。